(57)【要約】【課題】ユーザー毎の視聴状況、削除許可、削除不許可を容易に判断できるようにした使い勝手のよい記録再生装置を提供することである。【解決手段】記録媒体にファイルを記録し、再生する記録再生装置において、各ファイルに対する複数のユーザーの削除可／削除不可、再生済／未再生が記された一覧（録画リスト８０）を出力し、該一覧において、各ファイルに対する削除可／削除不可、再生済／未再生をユーザー毎に選択可能にする構成とする。【選択図】図３
2014045324.tif 000002
【特許請求の範囲】
【請求項１】
記録媒体にファイルを記録し、再生する記録再生装置において、
各ファイルに対する複数のユーザーの削除可／削除不可と、各ファイルに対する複数のユーザーの再生済／未再生とが記された一覧を出力し、
前記一覧において、各ファイルに対する削除可／削除不可をユーザー毎に選択可能にすることを特徴とする記録再生装置。
【請求項２】
前記一覧において、各ファイルに対する再生済／未再生をユーザー毎に選択可能とすることを特徴とする請求項１記載の記録再生装置。
【請求項３】
前記記録媒体にファイルを記録する前又は記録した後に、該ファイルの記録を指示したユーザーを識別する識別子の選択を促し、何れかの識別子が選択された場合、前記一覧において該ファイルに対する前記選択された識別子のユーザーの欄を未再生とすることを特徴とする請求項１又は２記載の記録再生装置。
【請求項４】
登録されている全てのユーザーが削除可又は再生済としたファイルを自動的に削除することを特徴とする請求項１〜３の何れかに記載の記録再生装置。
【請求項５】
登録されている全てのユーザーが削除可又は再生済としてから所定時間経過後にファイルを自動的に削除することを特徴とする請求項４記載の記録再生装置。
【発明の詳細な説明】
【技術分野】
【０００１】
本発明は、複数のユーザーによって使用される記録再生装置に関する。
【背景技術】
【０００２】
近年、光ディスク（ＤＶＤ、ＢＤ等）装置、ハードディスク装置、それらの複合機等からなるレコーダーと呼ばれる記録再生装置が普及している。このような記録再生装置は、一人のユーザーによって単独で使用されることもあるが、一般に、家族全員で使用するなど、複数のユーザーによって共同で使用されることが多い。
【０００３】
この場合、記録再生装置の記録領域（ハードディスク等）が共有され、各ユーザーが全ての録画番組を自由に視聴、削除することができる。そのため、録画予約したユーザーが視聴する前に、別のユーザーがその録画番組を削除してしまう場合があるなど、複数のユーザーが１台の記録再生装置を使用することには様々な問題がある。そこで、このような問題を解決する技術が種々提案されている。
【０００４】
例えば、特許文献１には、コンテンツが他の予約者と共有されている場合、録画予約された当該コンテンツの全ての予約者の視聴が完了するまで、当該コンテンツを消去或いは上書きできないようにした記録再生装置が開示されている。
【０００５】
特許文献２には、複数の各視聴者に固有の視聴者情報を入力する入力部と、所定の視聴者の視聴者情報を記憶する視聴者情報記憶部と、入力部に入力された視聴者情報と視聴者情報記憶部に記憶された視聴者情報とを比較して視聴者を識別する視聴者情報識別部とを備え、視聴者情報識別部の識別結果に応じて番組の記録、再生または消去を制限するデジタルテレビ放送記録装置が開示されている。
【０００６】
特許文献３には、録画動作時において、録画データにユーザーの識別子を付加して、ＨＤＤ等に記録し、再生動作時や削除動作時において、対象の録画データに、その動作を指示したユーザーの識別子と一致する識別子が付加されている場合に限り、その録画データへのアクセスを許可するようにした録画再生装置が開示されている。
【０００７】
特許文献４には、映像ファイルを蓄積する映像蓄積部と、前記映像蓄積部に蓄積される映像ファイルそれぞれの消去禁止、消去許可の設定を表すテーブルを記憶する記憶部と、前記映像蓄積部に蓄積される消去禁止の映像ファイルの全容量が所定の値に達したときに、前記テーブルを書き換える書換部と、を具備した録画装置が開示されている。
【先行技術文献】
【特許文献】
【０００８】
【特許文献１】特開２００５−９２９７５号公報
【特許文献２】特開２００１−９４９２８号公報
【特許文献３】特開２００７−２６６８９９号公報
【特許文献４】特開２００８−１１４０７号公報
【発明の概要】
【発明が解決しようとする課題】
【０００９】
しかしながら、特許文献１〜４の技術では、各録画番組に対して、それぞれのユーザーの視聴状況、削除許可、削除不許可などを容易に判断できる構成ではなく、必ずしも使い勝手がよいとは言えない。また、記録再生装置の中にはユーザーが撮影した写真やビデオを取り込んで再生できるものもあり、それらのファイルをどのように取り扱うかという課題もある。
【００１０】
本発明は、ユーザー毎の視聴状況、削除許可、削除不許可を容易に判断できるようにした使い勝手のよい記録再生装置を提供することを目的とする。
【課題を解決するための手段】
【００１１】
上記目的を達成するために本発明は、記録媒体にファイルを記録し、再生する記録再生装置において、各ファイルに対する複数のユーザーの削除可／削除不可と、各ファイルに対する複数のユーザーの再生済／未再生とが記された一覧を出力し、前記一覧において、各ファイルに対する削除可／削除不可をユーザー毎に選択可能にすることを特徴とする。
【００１２】
前記一覧において、各ファイルに対する再生済／未再生をユーザー毎に選択可能とすることが望ましい。
【００１３】
また、前記記録媒体にファイルを記録する前又は記録した後に、該ファイルの記録を指示したユーザーを識別する識別子の選択を促し、何れかの識別子が選択された場合、前記一覧において該ファイルに対する前記選択された識別子のユーザーの欄を未再生とするようにしてもよい。
【００１４】
また、登録されている全てのユーザーが削除可又は再生済としたファイルを自動的に削除するようにしてもよい。
【００１５】
また、登録されている全てのユーザーが削除可又は再生済としてから所定時間経過後にファイルを自動的に削除するようにしてもよい。
【発明の効果】
【００１６】
本発明によると、記録再生装置を使用中のユーザーは一覧により、各ファイルに対するそれぞれのユーザーの視聴状況、削除許可、削除不許可などを容易に判断できるので使い勝手がよい。
【図面の簡単な説明】
【００１７】
【図１】本発明のテレビジョンシステムの構成を示すブロック図である。
【図２】本発明の一実施形態であるＨＤＤ一体型光ディスク装置におけるファイルの管理に関する動作を示すフローチャートである。
【図３】本発明の一実施形態であるＨＤＤ一体型光ディスク装置における録画リストの一例を示す図である。
【発明を実施するための形態】
【００１８】
以下では、記録再生装置の一例として、ハードディスクドライブ（ＨＤＤ）一体型光ディスク装置を用いて説明する。
【００１９】
図１は、テレビジョンシステムの構成を示すブロック図である。このテレビジョンシステムは本発明の一実施形態であるＨＤＤ一体型光ディスク装置とその周辺機器とで構成される。ＨＤＤ一体型光ディスク装置１０には、デジタル放送を受信可能なテレビジョン受像機３０と、外付けＨＤＤやメモリカード等の外部記録媒体４０と、アンテナ５０とが接続されている。また、テレビジョン受像機３０にもアンテナ６０が接続されている。また、ＨＤＤ一体型光ディスク装置１０はリモコン７０によって操作可能である。
【００２０】
ＨＤＤ一体型光ディスク装置１０とテレビジョン受像機３０との接続、ＨＤＤ一体型光ディスク装置１０と外部記録媒体４０との接続は、映像信号及び音声信号を一方向又は双方向に、制御信号を双方向に伝送できるインターフェースであればよい。例えば、ＨＤＤ一体型光ディスク装置１０とテレビジョン受像機３０との接続にはＨＤＭＩ端子を用いることができる。ＨＤＤ一体型光ディスク装置１０と外部記録媒体４０との接続には、ＵＳＢ端子やカードスロットを用いることができる。
【００２１】
次に、ＨＤＤ一体型光ディスク装置１０の構成を説明する。ＨＤＤ一体型光ディスク装置１０は、チューナ１１、データ処理部１２、ＨＤＤ記録再生部１３、ＢＤ（Blu-ray Disc）／ＤＶＤ記録再生部１４、ＯＳＤ（On Screen Display）部１５を備えている。ＨＤＤ一体型光ディスク装置１０は、さらに、メモリ１６、リモコン受信部１７、外部Ｉ／Ｆ１８、操作部１９、表示部２０、制御部２１も備えている。
【００２２】
チューナ１１は、アンテナ５０で受信したテレビ放送信号を復調、デジタル化する。データ処理部１２は、チューナ１１やテレビジョン受像機３０や外部記録媒体４０から取得した画像音声データや制御データを分離する。また逆に、出力する画像音声データや制御データを結合する。またデータ処理部１２は、画像データを復号化したり、画像音声データを圧縮符号化したりする。またデータ処理部１２は、ＨＤＤ記録再生部１３やＢＤ／ＤＶＤ記録再生部１４や外部記録媒体４０から取得した圧縮された画像音声データを伸長復号する。また、データ処理部１２は入出力データを一時記憶する。
【００２３】
ＨＤＤ記録再生部１３は、データ処理部１２から受け取った圧縮された画像音声データをＨＤＤに記録したり、ＨＤＤに記録されたデータを読み出したりする。ＢＤ／ＤＶＤ記録再生部１４は、データ処理部１２から受け取った圧縮された画像音声データを挿入されたＢＤ又はＤＶＤに記録したり、ＢＤ又はＤＶＤに記録されたデータを読み出したりする。
【００２４】
ＯＳＤ部１５は、録画予約をはじめとする各種設定値や録画リストをテレビジョン受像機３０の表示部（不図示）の一部に表示しながら設定できるようにする。メモリ１６は、ＲＯＭやＲＡＭからなり、各種プログラムや動作中のデータが記憶される。リモコン受信部１７は、リモコン７０からの信号を受信する。
【００２５】
外部Ｉ／Ｆ１８は、テレビジョン受像機３０及び外部記録媒体４０が接続される。操作部１９は、リモコン７０の操作キーと一部同じである各種操作キーを有する。表示部２０は、ＶＦＤ（Vacuum Fluorecent Displays）等からなり、動作状況などを簡易的に表示する。
【００２６】
制御部２１は、ＨＤＤ一体型光ディスク装置１０の各部を制御する。具体的に、制御部２１は、記録媒体（ＨＤＤ、ＢＤ、ＤＶＤ又は外部記録媒体４０）に各種ファイルを記録し、ファイルを再生する制御を行う。ファイルの記録には記録媒体間でファイルをコピー又は移動する動作も含まれる。ファイルは、テレビ放送の番組を録画したもの、ユーザーが撮影した動画、写真、音楽など、映像、画像及び音声のファイルを扱うことができる。
【００２７】
また制御部２１は、各ファイルに対する複数のユーザーの削除可／削除不可が記された一覧をテレビジョン受像機３０の表示部等へ出力する制御も行う。また制御部２１は、この一覧において、各ファイルに対する削除可／削除不可をユーザー毎に選択可能にする制御も行う。
【００２８】
なお、上記の一覧に、各ファイルに対する複数のユーザーの再生済／未再生が記されていてもよい。この場合、制御部２１は、一覧において、各ファイルに対する再生済／未再生をユーザー毎に選択可能とする制御も行う。
【００２９】
また制御部２１は、記録媒体にファイルを記録する前又は記録した後に、該ファイルの記録を指示したユーザーを識別する識別子（例えば、ユーザー名）の選択を促し、何れかの識別子が選択された場合、上記の一覧において該ファイルに対する選択された識別子のユーザーの欄を未再生とする制御も行う。
【００３０】
また制御部２１は、登録されている全てのユーザーが削除可又は再生済としたファイルを自動的に削除する制御も行う。なお、登録されている全てのユーザーが削除可又は再生済としてから所定時間経過後（例えば、一週間後）にファイルを自動的に削除するようにしてもよい。以下に、これらの制御について詳しく説明する。
【００３１】
図２は、ＨＤＤ一体型光ディスク装置１０におけるファイルの管理に関する動作を示すフローチャートである。ここではＨＤＤ一体型光ディスク装置１０のＨＤＤに録画された番組のファイルを用いて説明する。
【００３２】
まず、ユーザーによりリモコン７０が操作され（例えば、録画リストキーが押下され）、録画リストの表示が指示されると、ステップＳ１０において、制御部２１は録画リストをテレビジョン受像機３０へ出力するように制御する。
【００３３】
録画リストは、例えば、ＨＤＤに記録されている番組の一覧であり、常時最新の録画リストをメモリ１６に記憶しておいてもよいし、録画リストキーが押下されたときにＨＤＤの記録内容を参照して作成してもよい。
【００３４】
図３に、録画リストの一例を示す。録画リスト８０は、左欄から、登録されているユーザー名、番組を録画した日付、番組名、備考となっている。ユーザーはＡ、Ｂ、Ｃの３人が登録されているが、その数に限定はない。ユーザーの登録は予めセットアップ画面等で行える。
【００３５】
ユーザー名の下欄は各番組（ファイル）に対する各ユーザーの視聴状況を示す欄である。視聴状況の記号として、「１」が未視聴（未再生）、「２」が視聴済（再生済）、太枠が削除不可、記号なしが視聴を希望していない（削除可）ことを示している。新たに録画リスト８０に登録された番組については、例えば、初期値として全ユーザーの視聴状況を自動的に「１」とする。備考欄には視聴状況から自動的に判定した内容を示すようになっている。図３では最下欄の番組を一週間後に自動的に削除する旨を通知している。
【００３６】
図２の説明に戻り、ステップＳ１０からステップＳ１１へ進んで、視聴状況の変更指示があったか否かを判別する。この指示はユーザーによりリモコン７０が操作されてなされる。ユーザーは録画リスト８０上の色が反転して示されるカーソル８１を上下左右キーで自分のユーザー名の所望の欄に移動させ、決定キーの押下を繰り返して所望の記号を選択する。記号は、決定キーを押下する度に、例えば、「１」、「１の太枠」、「２」、「２の太枠」、「記号なし」の順で切り替わるようにすることができる。
【００３７】
ステップＳ１１において視聴状況の変更指示があった場合、ステップＳ１２へ進んでＨＤＤ一体型光ディスク装置１０は、指示に応じてカーソル８１が位置している欄の記号を切り替える。そして、ある記号を表示させた状態で所定時間（例えば２秒）経過した時点で、ユーザーの所望する記号であると判断し、その状態に録画リスト８０を更新する。
【００３８】
ステップＳ１２からはステップＳ１３へ進んで、制御部２１は更新された録画リストの視聴状況の欄を検索し、登録されている全てのユーザーが削除可又は再生済としたファイルがあるか、つまり、ユーザーＡ、Ｂ、Ｃ全員が「記号なし」又は「２」とした番組があるか判別する。
【００３９】
ステップＳ１３において、登録されている全てのユーザーが削除可又は再生済としたファイルがある場合、ステップＳ１４へ進んで、制御部２１はその番組を一週間後に自動削除するように制御するとともに、録画リストの備考欄に「一週間後に自動削除」と表示させる。
【００４０】
一方、ステップＳ１１において視聴状況の変更指示がない場合、又はステップＳ１３において登録されている全てのユーザーが削除可又は再生済としたファイルがない場合、ステップＳ１５へ進む。ステップＳ１５では録画リストの終了指示があったか否かを判別する。この指示はユーザーにより、例えば、リモコン７０の終了キーが操作されてなされる。また、リモコン７０の再生キーが操作された場合も再生動作に移行するため録画リストの終了指示があったとみなす。
【００４１】
ステップＳ１５において録画リストの終了指示があった場合、ステップＳ１６へ進んで録画リストの出力を停止し、処理を終了する。一方、ステップＳ１５において録画リストの終了指示がない場合はステップＳ１１に戻る。
【００４２】
このようなＨＤＤ一体型光ディスク装置１０によれば、使用中のユーザーは録画リスト８０により、各録画番組に対するそれぞれのユーザーの視聴状況、削除許可、削除不許可などを容易に判断できるので使い勝手がよい。また、ＨＤＤ一体型光ディスク装置１０自身が録画リスト８０の内容から自動的に削除する番組を判断し、削除することもできる。
【００４３】
なお、ステップＳ１３、ステップＳ１４を省略し、ユーザーが録画リストの視聴状況を参照して番組の削除を手動で行うようにしてもよい。また、ステップＳ１４において自動削除する代わりに、削除を勧めるメッセージを表示してもよいし、削除の可否を選択できる選択肢を表示してもよい。
【００４４】
なお、上記の実施形態では全てのユーザーが削除可又は再生済としている場合にその番組を削除するようにしたが、全てのユーザーが削除可としている場合のみにその番組を削除するようにしてもよい。
【００４５】
なお、録画リストに録画予約してある番組を追加してもよい。また、録画してある番組を録画予約リストとして別に出力してもよい。そして、録画予約してある番組についても、ユーザー毎に未視聴や削除不可の項目を設定できるようにすればよい。
【００４６】
また、再生する前、又は再生した後、もしくは録画予約するときに、ユーザー名の選択を促すポップアップ画面を表示して、ユーザー名を選択できるようにしてもよい。例えば、録画予約するときにユーザー名を選択した場合、録画後の録画リスト上で自動的にそのユーザー名の欄のその番組を未視聴「１」に設定することも可能となる。
【００４７】
また、ＥＰＧ（電子番組表）画面を見れば、予約マーク等で録画予約の状況がわかるので、すでに誰かが録画予約した番組を自分も視聴したければ、その番組を選択し、予約リストを表示させ、リスト上で自分のユーザー名の欄のうち、その番組の欄を未視聴「１」に設定すれば、自分も視聴したいという意思表示が可能となる。
【００４８】
また、自動削除の設定は、「すぐに削除」、「一週間後に削除」等を設定できるようにしてもよい。削除するまでの日数は予めユーザーがセットアップ画面で設定できるようにすればよい。また、所定日数後に自動削除する場合、「あと○日で削除」というように、カウントダウンするように録画リストに表示してもよい。
【００４９】
また、録画容量が足りないと判別した時点で、削除してもよい番組のリストを表示してもよい。削除してもよい番組のリストとは、例えば、全てのユーザーが削除可又は再生済としている番組の一覧とすればよい。これにより、ユーザーは何れかの番組を削除する選択をして録画容量を増やすことができる。
【００５０】
また、全てのユーザーが削除不可にした番組があれば、その番組をＨＤＤから光ディスク等へダビングすることを促すメッセージを表示してもよい。ダビング後は削除不可の表示からダビング済みの表示に変え、ＨＤＤから削除可能にしてもよい。
【００５１】
また、削除不可に設定していても、所定期間経過すれば、録画リストの備考欄に「残しておきますか？」等のメッセージを表示したり、削除不可のマークを点滅させるなどして、本当に削除したくないかの確認を行ってもよい。
【００５２】
また、どのユーザーが使用しているか装置が認識している場合、同じユーザーが同じ番組を何回も再生（例えば、３回再生）すると、自動的に削除不可のマークを付けてもよい。その場合、自動で削除不可マークを付けたことがわかるように、マークの色を変えて表示することが好ましい。
【００５３】
上記の実施形態では放送された番組を例に説明したが、番組だけでなく、他のファイル、例えば、外部記録媒体４０等から取り込んだ、写真、音楽、ビデオデータであってもよい。この場合、視聴済みは再生済み、未視聴は未再生などに相当する。
【００５４】
なお、ファイルの一覧に記されるユーザー毎の項目は、少なくとも「削除不可」及び「削除可」を設定できればよい。つまり視聴済み（再生済み）、未視聴（未再生）はなくてもよい。この場合、例えば、録画リストでの視聴状況の記号を、削除不可「×」と削除可「○」とに切り替えできるようにし、各ユーザーの初期値を削除不可「×」とすればよい。
【産業上の利用可能性】
【００５５】
本発明の記録再生装置は、光ディスク装置やハードディスク装置等の記録再生装置に利用することができ、また、複数の記録再生部を１つの筐体に組み込んだ複合機、例えばＨＤＤ一体型光ディスク装置等にも利用することができる。
【符号の説明】
【００５６】
１０  ＨＤＤ一体型光ディスク装置（記録再生装置）
１１  チューナ
１２  データ処理部
１３  ＨＤＤ記録再生部
１４  ＢＤ／ＤＶＤ記録再生部
１５  ＯＳＤ部
１６  メモリ
１７  リモコン受信部
１８  外部Ｉ／Ｆ
１９  操作部
２０  表示部
２１  制御部
３０  テレビジョン受像機
４０  外部記録媒体
５０、６０  アンテナ
７０  リモコン
【図１】
2014045324.tif 000003
【図２】
2014045324.tif 000004
【図３】
2014045324.tif 000005